(57)【要約】【課題】清掃効率の向上を図ることができ、さらには１ステップの動作で使用することができる電気掃除機用のブラシノズルおよびそれを備えた電気掃除機を提供すること。【解決手段】ノズル口を有するノズル本体と、前記ノズル本体の前記ノズル口の近傍に揺動可能に取り付けられ被清掃面と接するブラシ面を有する揺動ブラシと、前記揺動ブラシを所定方向に付勢する付勢部材とを備え、  前記ノズル本体内での空気の流れ方向に対して前記ブラシ面が斜め状態を維持するように前記付勢部材にて前記揺動ブラシを付勢するように構成されたことを特徴とする電気掃除機用のブラシノズル。【選択図】図８
2019193708.tif 000002
【特許請求の範囲】
【請求項１】
ノズル口を有するノズル本体と、前記ノズル本体の前記ノズル口の近傍に揺動可能に取り付けられ被清掃面と接するブラシ面を有する揺動ブラシと、前記揺動ブラシを所定方向に付勢する付勢部材とを備え、
前記ノズル本体内での空気の流れ方向に対して前記ブラシ面が斜め状態を維持するように前記付勢部材にて前記揺動ブラシを付勢するように構成されたことを特徴とする電気掃除機用のブラシノズル。
【請求項２】
前記ノズル本体は、前記ノズル口とは反対側に接続口を有し、
前記接続口は、電気掃除機の掃除機本体の先端吸引口または電気掃除機用の付属の一の接続具と接続可能であり、
前記ノズル口は、前記接続口に接続された前記先端吸引口または前記一の接続具と電気掃除機用の付属の他の接続具との接続時に前記他の付属の接続具を差し込み可能とする請求項１に記載のブラシノズル。
【請求項３】
前記ノズル本体は、前記接続口を有する接続管部と、前記揺動ブラシを揺動可能に支持する一対の軸部および前記ノズル口を有するブラシ支持部と、前記ノズル口の外周部の一部に沿って設けられたブラシ台部と、前記ブラシ台部に設けられた補助ブラシ部とを有し、
前記揺動ブラシは、前記ノズル本体の前記ノズル口の外周部の他部に沿うように略Ｕ形に形成されかつ前記一対の軸部に枢着される両端部を有するブラシ基材と、前記ブラシ基材に植設された複数のブラシ毛束とを有する請求項２に記載のブラシノズル。
【請求項４】
前記ノズル本体の前記ノズル口の内面に揺動可能に取り付けられた端子部カバーと、前記端子部カバーを起き上がらせる方向に付勢する端子部カバー用付勢部材とをさらに備え、
前記端子部カバーは、前記ノズル本体の前記ノズル口に差し込まれて前記延長管と接続される前記吸込口体の接続管部の外面を受ける凹曲面部を有する請求項２〜３のいずれか１つに記載のブラシノズル。
【請求項５】
前記端子部カバーは、前記凹曲面部の裏に平滑面部を有する請求項４に記載のブラシノズル。
【請求項６】
掃除機本体と、掃除機本体に接続可能な前記延長管と、前記延長管と接続可能な請求項１〜５のいずれか１つに記載のブラシノズルと、前記ブラシノズルに差し込んで前記延長管と接続可能な接続管部を有する吸込口体とを備えた電気掃除機。
【発明の詳細な説明】
【技術分野】
【０００１】
本発明は、電気掃除機用のブラシノズルおよびそれを備えた電気掃除機に関する。
【背景技術】
【０００２】
従来の電気掃除機として、車輪を有する掃除機本体と、掃除機本体の差込口に接続される下流側端部を有する可撓性ホースと、可撓性ホースの上流側端部に設けられた接続パイプおよび手元ハンドルと、接続パイプの差込口に接続される延長管と、延長管に接続される吸込口体とを備え、接続パイプの差込口近傍に折り畳み可能なブラシ部が設けられたキャニスター型電気掃除機が公知である（例えば、特許文献１および２）。
【０００３】
この電気掃除機によれば、接続パイプから延長管を取り外し、折り畳み位置でのロックを解除してブラシ部を接続パイプの差込口の前方へ引き起こし、引き起こし位置でブラシ部をロックすることにより、例えば、狭い隙間、階段、家具、棚等をブラシ部にて擦りながら塵埃を吸い込んで掃除することができる。なお、ロックは、接続パイプとブラシ部とに設けられた係止凸部と係止凹部との係合により行われる。
【先行技術文献】
【特許文献】
【０００４】
【特許文献１】特開２００５−１８５４８０号公報
【特許文献２】特開２０１２−７１００８号公報
【発明の概要】
【発明が解決しようとする課題】
【０００５】
前記従来の電気掃除機では、使用時のブラシ部は引き起こし位置にロックされるため、ブラシ部の被清掃面に接するブラシ面と接続パイプとの角度は一定（例えば４５°）である。そのため、例えば、棚上面の清掃時に奥行き方向へブラシ部を往復移動させると被清掃面に対する接続パイプの傾斜角度が変化するため、すなわち手前から奥へブラシ部を移動させると傾斜角度が小さくなってブラシ部の前部が浮き上がり、奥から手前へブラシ部を移動させると傾斜角度が大きくなってブラシ部の後部が浮き上がるという状態になりやすく、清掃効率が低下しやすいという課題があった。
また、例えば、吸込口体にて床面上を清掃している途中にブラシ部にて家具に付着した塵埃を除去する場合、接続パイプから延長管を取り外し、折り畳んでいたブラシ部を接続パイプの差込口の前方へ引き起こすという手間のかかる２ステップの動作が必要であった。
【０００６】
本発明は、このような課題に鑑みなされたものであり、清掃効率の向上を図ることができ、さらには１ステップの動作で使用することができる電気掃除機用のブラシノズルおよびそれを備えた電気掃除機を提供することを目的とする。
【課題を解決するための手段】
【０００７】
かくして、本発明によれば、ノズル口を有するノズル本体と、前記ノズル本体の前記ノズル口の近傍に揺動可能に取り付けられ被清掃面と接するブラシ面を有する揺動ブラシと、前記揺動ブラシを所定方向に付勢する付勢部材とを備え、
前記ノズル本体内での空気の流れ方向に対して前記ブラシ面が斜め状態を維持するように前記付勢部材にて前記揺動ブラシを付勢するように構成された電気掃除機用のブラシノズルが提供される。
【０００８】
また、本発明の別の観点によれば、掃除機本体と、掃除機本体に接続可能な前記延長管と、前記延長管と接続可能な前記ブラシノズルと、前記ブラシノズルに差し込んで前記延長管と接続可能な接続管部を有する吸込口体とを備えた電気掃除機が提供される。
【発明の効果】
【０００９】
本発明の電気掃除機用のブラシノズルは、例えば、ハンディ型の電気掃除機の吸込口、スティック型の電気掃除機の延長管の先端部、キャニスター型の電気掃除機の可撓性ホースの先端部等に固定式または着脱式で取り付けることができる。
このように電気掃除機に取り付けられたブラシノズルは、ノズル本体内での空気の流れ方向に対してブラシ面が斜め状態を維持するように付勢部材にて揺動ブラシを付勢するように構成されているため、例えば、床面上における家具と壁の間の狭い隙間、家具や棚の上面等の清掃時にブラシノズルを奥行き方向に往復移動させた際に被清掃面に対するノズル本体の傾斜角度が変化しても、常にブラシ面全体が被清掃面に接した状態を維持するように揺動ブラシがノズル本体に対して揺動する。したがって、手前から奥へブラシノズルを移動させるとブラシノズルの前部が浮き上がり、奥から手前へブラシノズルを移動させるとブラシノズルの後部が浮き上がるという状態になりにくいため、清掃効率を向上させることができる。
【図面の簡単な説明】
【００１０】
【図１】本発明のブラシノズルを備えた電気掃除機の実施形態１を示す斜視図である。
【図２】図１の電気掃除機の内部構造を示す部分断面図である。
【図３】実施形態１の電気掃除機におけるブラシノズルを有する延長管を示す斜視図である。
【図４】実施形態１の延長管を示す（Ａ）は左側面図、（Ｂ）は揺動ブラシが揺動した状態での左側面図である。
【図５】実施形態１のブラシノズルのノズル本体を示す（Ａ）はノズル口側から視た斜視図、（Ｂ）は左側面図、（Ｃ）は接続口側から視た斜視図である。
【図６】実施形態１のブラシノズルの揺動ブラシを示す（Ａ）は斜め上方から視た斜視図、（Ｂ）は斜め下方から視た斜視図である。
【図７】実施形態１のブラシノズルの端子部カバーを示す（Ａ）は基端部を斜め下方から視た斜視図、（Ｂ）は先端部を斜め上方から視た斜視図、（Ｃ）は左側面を斜め上方から視た斜視図、（Ｄ）は右側面を斜め下方から視た斜視図である。
【図８】実施形態１のブラシノズルによる床面清掃時の（Ａ）は延長管が傾斜した状態、（Ｂ）は延長管が起き上がった状態を説明する図である。
【図９】実施形態１のブラシノズルにおける端子部カバーが起き上がった状態を示すノズル口側から視た図である。
【図１０】実施形態１のブラシノズルにおける端子部カバーが倒れた状態を示す左側断面図である。
【図１１】実施形態１のブラシノズルにおける端子部カバーが倒れた状態を示すノズル口側から視た図である。
【図１２】本発明のブラシノズルを備えた電気掃除機の実施形態２を示す斜視図である。
【図１３】本発明のブラシノズルを備えた電気掃除機の実施形態３を示す斜視図である。
【図１４】本発明のブラシノズルを備えた電気掃除機の実施形態４を示す斜視図である。
【図１５】実施形態５の電気掃除機の延長管を示す斜視図であって（Ａ）は伸長状態、（Ｂ）は短縮状態である。
【図１６】図１５（Ａ）の延長管であって（Ａ）は背面図、（Ｂ）は左側面図、（Ｃ）は左側断面図である。
【図１７】図１５（Ａ）の延長管における引っ掛け部材を示す（Ａ）は左側面図、（Ｂ）は（Ａ）のＩ−Ｉ線矢視断面図である。
【図１８】図１７の引っ掛け部材を示す（Ａ）は斜視図、（Ｂ）は別の斜視図、（Ｃ）はさらに別の斜視図である。
【図１９】図１６（Ｂ）のＩＩ−ＩＩ線矢視断面図である。
【図２０】実施形態６のブラシノズルを示す斜視図である。
【図２１】図２０のブラシノズルの（Ａ）は左側面図、（Ｂ）は揺動ブラシが揺動した状態での左側面図である。
【発明を実施するための形態】
【００１１】
（実施形態１）
図１は本発明のブラシノズルを備えた電気掃除機の実施形態１を示す斜視図であり、図２は図１の電気掃除機の内部構造を示す部分断面図である。なお、実施形態１では本発明のブラシノズルをキャニスター型電気掃除機の延長管に取り付けた場合を例示するが、本発明のブラシノズルの取り付け形態は実施形態１に限定されるものではなく、後述する実施形態２〜４のようにしてもよい。
【００１２】
図１と図２に示すように、実施形態１の電気掃除機１は、掃除機本体１０と、掃除機本体１０の接続口１１ａ2に着脱可能に接続される下流側の基端接続部２１および上流側の先端接続部２２を有する可撓性ホース部２０と、可撓性ホース部２０の先端接続部２２に連設されたハンドル部３１および操作スイッチ部３２と、可撓性ホース部２０の先端接続部２２に着脱可能に接続される下流側の基端接続部４１および上流側の先端接続部４２を有する延長管４０と、延長管４０の先端接続部４２に着脱可能に取り付けられたブラシノズル５０と、延長管４０の先端接続部４２に着脱可能に接続される吸込口体６０とを備える。なお、本明細書中で説明される前後、左右および上下方向は、電気掃除機１の使用状態におけるユーザーを基準にしている。
【００１３】
＜掃除機本体＞
掃除機本体１０は、床面上を走行可能な筐体１１ａおよび筐体１１ａ内に収納された電動送風機１１ｂを有する駆動装置１１と、駆動装置１１の筐体１１ａに着脱可能に装着される集塵ユニット１２とを有する
【００１４】
駆動装置１１において、筐体１１ａの後部には左右一対の車輪１１ｃが設けられ、筐体１１ａの前部下面には前輪１１ｄが設けられ、筐体１１ａの下面における前輪１１ｄの右前方位置には延長管４０をスタンド収納するための受け部１１ｅが設けられ、筐体１１ａの上面側には集塵ユニット１２を着脱可能に装着する凹形の装着部１１ａ1が設けられている。なお、受け部１１ｅは筐体１１ａの下面側から視て、例えばＴ形に形成されたリブである。
【００１５】
また、筐体１１ａにおいて、前端下部には前記接続口１１ａ2が設けられ、後端部には排気口１１ａ3が設けられ、装着部１１ａ1には接続口１１ａ2と連通する空気排出孔（不図示）および排気口１１ａと連通する空気導入孔（不図示）が設けられ、筐体１１ａの前端上部にはハンドル１１ａ4が設けられ、筐体１１ａのおよび複数の脚部１１ａ5が設けられている。
【００１６】
また、筐体１１ａの内部において、接続口１１ａ2と空気排出孔（不図示）との間が第１通風経路とされ、排気口１１ａと空気導入孔（不図示）との間が第２通風経路とされており、第２通風経路内の電動送風機１１ｂが配置され、第２通風経路内における電動送風機１１ｂよりも下流側に回路基板１１ｆが設けられ、第２通風経路内における回路基板１１ｆよりも下流側に図示しない電源コードを巻き取るコードリール１１ｇが設けられている。また、筐体１１ａの接続口１１ａ2には、回路基板１１ｆと図示しないリード線を介して電気的に接続された雌型端子部が設けられている。
【００１７】
集塵ユニット１２は、集塵カップ部１２ａと、集塵カップ部１２ａに着脱可能に取り付けられる遠心分離ユニット１２ｂとを備えるマルチサイクロン方式の集塵装置である。
集塵ユニット１２が駆動装置１１の装着部１１ａ1に装着された状態において、集塵カップ１２ａの外周壁には前記空気排出孔（不図示）と気密に接続可能な空気流入口（不図示）が設けられ、遠心分離ユニット１２ｂの後述のカバー部１２ｂ4には前記空気導入孔（不図示）と気密に接続可能な空気排出口（不図示）が設けられている。
【００１８】
遠心分離ユニット１２ｂは、集塵カップ１２ａ内に配置される図示しない筒状のメッシュフィルター部を有する第１遠心分離部１２ｂ1と、集塵カップ１２ａの開口部に着脱可能に気密に嵌め込まれかつ第１遠心分離部１２ｂ1と連通するカップ部１２ｂ2と、カップ部１２ｂ2と連通するようにカップ部１２ｂ2と着脱可能に結合しかつ複数の遠心分離筒１２ｂ31を有する第２遠心分離部１２ｂ3と、第２遠心分離部１２ｂ3と連通するように第２遠心分離部１２ｂ3を覆うカバー部１２ｂ4とを備える。
【００１９】
このように構成された掃除機本体１０によれば、電動送風機１１ｂが駆動することにより、駆動装置１１の接続口１１ａ2に吸い込まれた塵埃を含む空気は第１通風経路を通って集塵ユニット１２の空気導入孔（不図示）から集塵カップ１２ａ内に流入し、第１の塵埃が集塵カップ１２ａ内を旋回しながら捕捉され、第１の塵埃よりも小さな第２の塵埃を含む空気が第１遠心分離部１２ｂ1のメッシュフィルター部（不図示）およびカップ部１２ｂ2を通過して第２遠心分離部１２ｂ3の各遠心分離筒１２ｂ31内に流入し、各遠心分離部１２ｂ31にて第２の塵埃と分離された空気がカバー部１２ｂ4内を通過して駆動装置１１の空気導入孔（不図示）から第２通風経路内に流入して排気口１１ａ3から外部に排出される。
【００２０】
＜可撓性ホース部＞
可撓性ホース部２０は、基端接続部２１と先端接続部２２との間にホース本体２３を有し、ホース本体２３には絶縁材料にて被覆された導電線が螺旋状に巻かれ一体化されている。
また、基端接続部２１にはホース本体２３の導電線と電気的に接続された図示しない雄型端子部が設けられると共に、先端接続部２２には操作スイッチ部３２および導電性リング摺動部等を介してホース本体２３の導電線と電気的に接続された図示しない雌型端子部が設けられている。
【００２１】
さらに、先端接続部２２には、折り畳み可能な先端ブラシ２２ａが揺動可能に設けられると共に、延長管４０の基端接続部４１の係止凹部４１ｂ（図３参照）と係脱可能に係止する係止爪（不図示）を有する第１ロック部２２ｂが設けられている。なお、第１ロック部２２ｂの押しボタン２２ｂ1を押すことにより係止爪が係止凹部４１ｂから外れてロックが解除される。
【００２２】
＜延長管＞
図３は実施形態１の電気掃除機におけるブラシノズルを有する延長管を示す斜視図である。また、図４は実施形態１の延長管を示す（Ａ）は左側面図、（Ｂ）は揺動ブラシが揺動した状態での左側面図である。
図１〜図４に示すように、延長管４０は、絶縁材料にて被覆された導電線を内部に有し、その導電線と電気的に接続された雄型端子部４１ａを基端接続部４１に有し、導電線と電気的に接続された雌型端子部４２ａ（図１１参照）を先端接続部４２に有している。
延長管４０の基端接続部４１を可撓性ホース部２０の先端接続部２２に差し込んで接続することにより、基端接続部４１の雄型端子部４２ａが先端接続部２２の雌型端子部（不図示）に嵌り込んで電気的に接続する。
【００２３】
また、延長管４０の基端接続部４１には、基端接続部４１を可撓性ホース部２０の先端接続部２２に差し込んだ際に先端接続部２２の第１ロック部２２ｂの係止爪（不図示）と係脱可能に係止する前記係止凹部４１ｂが設けられると共に、後述するロック解除機構部４３の押しボタン４３ａが設けられている。
先端接続部４２には、吸込口体６０の接続管部６２に設けられた係止凹部６２ａ（図２参照）と係脱可能に係止する係止爪４２ｂ1および押しボタン４２ｂ2を有する第２ロック部４２ｂが設けられている。
【００２４】
延長管４０の基端接続部４１が可撓性ホース部２０の先端接続部２２に接続された状態において、延長管４０の雄型端子部４１ａ、係止凹部４１ｂ、雌型端子部４２ａおよび第２ロック部４２ｂは、延長管４０の前面に配置されている。
ロック解除機構部４３は、延長管４０の前面における雄型端子部４１ａと第２ロック部４２ｂとの間に長手方向に設けられており、雄型端子部４１ａの近傍に設けられた前記押しボタン４３ａと、第２ロック部４２ｂの近傍に設けられた作用片４３ｃと、押しボタン４３ａと作用片４３ｃとを連結する連結線材４３ｂとを有し、連結線材４３ｂはカバー４３ｄによって覆われている。
【００２５】
吸込口体６０の接続管部４２の係止凹部６２ａに係止した第２ロック部４２ｂの係止爪４２ｂ1は、第２ロック部４２ｂの押しボタン４２ｂ2を押すことにより係止凹部６２ａから離脱してロックが解除されるが、ハンドル３１に近いロック解除機構部４３によってもロックを解除することができる。この場合、押しボタン４３ａを押すことにより連結線材４３ｂを介して作用片４３ｃが前後方向に移動し、作用片４３ｃの動きよって係止爪４２ｂ1が係止凹部６２ａから外れてロックが解除される。したがって、足で吸込口体６０を押さえ、ロック解除機構部４３にて第２ロック部４２ｂを解除した状態で延長管４０を引っ張ることにより、ユーザーは立ったままの状態で延長管４０から吸込口体６０を楽に取り外すことができる。
【００２６】
また、延長管４０における長手方向の中間部よりも先端接続部４２寄りにはベルト部材４４が取り付けられると共に、ベルト部材４４における延長管４０の後面側には引っ掛け部材４５が設けられている。
引っ掛け部材４５は、筐体１１ａのＴ形の受け部１１ｅに上方から引っ掛け可能なスリット４５ａ（図３参照）を有する箱形に形成されている。
【００２７】
＜吸込口体＞
図１と図２に示すように、吸込口体６０は、吸込口６１ａを有する吸込口本体６１と、吸込口本体６１に前後左右方向に回動可能に設けられた前記接続管部６２と、吸込口本体６１内の吸込口６１ａ近傍に回転可能に設けられた回転ブラシ６３と、吸込口本体６１内に設けられた図示しない回転ブラシ駆動用モータおよびモータの出力軸からの回転力を回転ブラシ６３に伝達する図示しないプーリおよびベルト等を備える。
【００２８】
また、吸込口体６０の接続管部６２には、接続管部６２が吸込口体４０の先端接続部４２に差し込まれて接続する際に先端接続部４２の第２ロック部４２ｂの係止爪４２ｂ1が係脱可能に係止する前記係止凹部６２ａが設けられると共に、モータ（不図示）とリード線を介して電気的に接続された雄型端子部（不図示）が設けられている。
【００２９】
＜ブラシノズル＞
図５は実施形態１のブラシノズルのノズル本体を示す（Ａ）はノズル口側から視た斜視図、（Ｂ）は左側面図、（Ｃ）は接続口側から視た斜視図である。また、図６は実施形態１のブラシノズルの揺動ブラシを示す（Ａ）は斜め上方から視た斜視図、（Ｂ）は斜め下方から視た斜視図である。また、図７は実施形態１のブラシノズルの端子部カバーを示す（Ａ）は基端部を斜め下方から視た斜視図、（Ｂ）は先端部を斜め上方から視た斜視図、（Ｃ）は左側面を斜め上方から視た斜視図、（Ｄ）は右側面を斜め下方から視た斜視図である。
【００３０】
図３〜図７に示すように、ブラシノズル５０は、ノズル口５１ｂ1を有する筒形のノズル本体５１と、ノズル本体５１のノズル口５１ｂ1の近傍に揺動可能に取り付けられた被清掃面と接するブラシ面５２ｂｆを有する揺動ブラシ５２と、揺動ブラシ５２を所定方向に付勢する一対の付勢部材５３（図５参照）と、ノズル口５１ｂ1内に揺動可能に設けられた端子部カバー５４と、端子部カバー５４を所定方向に付勢する図示しない端子部カバー用付勢部材とを備える。ここで、「ブラシ面５２ｂｆ」とは、揺動ブラシ５２の後述する複数のブラシ毛束５２ｂにおける被清掃面と接触する先端平面領域を指し、実施形態１の場合は後方が開いたＵ形の先端平面領域を指す（図６（Ｂ）参照）。なお、先端平面領域は略Ｕ形であればよく、Ｖ形であってもよい。
【００３１】
このブラシノズル５０は、図４（Ａ）に示すように、ノズル本体５１内での空気の流れ方向、すなわちノズル本体５１の長手方向（直線Ｌ方向）に対してブラシ面５２ｂｆが斜め状態を維持するように、すなわち、ノズル本体５１の長手方向（直線Ｌ方向）に対するブラシ面５２ｂｆの傾斜角度θが下限設定角度（例えば約４５°）となるように付勢部材５３にて揺動ブラシ５２を付勢するように構成されている。なお、図４（Ｂ）は、ノズル本体５１の長手方向（直線Ｌ方向）に対するブラシ面５２ｂｆの傾斜角度θが下限設定角度より大きい上限設定角度（例えば約８０°）となるように付勢部材５３の付勢力に抗して揺動ブラシ５２を強制的に揺動させた状態を示している。
以下、具体的に各部材について説明する。
【００３２】
［ノズル本体］
図５（Ａ）〜（Ｃ）に示すように、ノズル本体５１は、ノズル口５１ｂ1とは長手方向（直線Ｌ方向）の反対側に接続口５１ａ1を有する接続管部５１ａと、揺動ブラシ５２を揺動可能に支持する一対の軸部５１ｂ2およびノズル口５１ｂ1を有するブラシ支持部５１ｂと、ノズル口５１ｂ1の外周部の一部に沿って設けられたブラシ台部５１ｃと、ブラシ台部５１ｃに設けられた補助ブラシ部５１ｄとを有する。
【００３３】
接続管部５１ａにおいて、接続口５１ａ1は延長管４０の先端接続部４２がぐらつかずに差し込まれるサイズおよび形状に形成されており、接続管部５１ａの上面には接続口５１ａ1に差し込まれた先端接続部４２の第２ロック部４２ｂの押しボタン４２ｂ2に干渉せずかつ押しボタン４２ｂ2を外部に露出させるための切欠き部５１ａ2が設けられている。
【００３４】
接続管部５１ａと連通するブラシ支持部５１ｂは、円弧状に湾曲する上面および平坦な左右側面を有し、上面に突条形の一対の摺接リブ５１ｂ3が設けられ、左右側面に突起状の前記軸部５１ｂ2およびストッパリブ５１ｂ4がそれぞれ設けられている。
また、接続管部５１ａの左右側面において、各軸部５１ｂ2の周囲には後述する付勢部材５３としての捻りコイルバネを収納する円環状凹部５１ｂ5が設けられ、ノズル口５１ｂ１付近の上部には後述する端子部カバー５４を取り付ける取付孔５１ｂ6が設けられている。
【００３５】
一対の摺接リブ５１ｂ3は、ブラシ面５２ｂｆの傾斜角度θが下限設定角度となるまで揺動ブラシ５２が揺動する（閉じる）と後述するブラシ基材５２ａの内面に摺接して当たり止めをするようノズル口５１ｂ1の上端部に沿って配置されている（図４（Ａ）参照）。
左右一対の軸部５１ｂ2は、ブラシ支持部５１ｂの上面の円弧中心位置に同一軸心上に配置されている。
左右一対のストッパリブ５１ｂ4は、揺動ブラシ５２のブラシ面５２ｂｆの傾斜角度θが上限設定角度となると後述するブラシ基材５２ａの端部に当接して当り止めをする位置に配置されている（図４（ｂ）参照）。
【００３６】
ブラシ台部５１ｃは、ノズル口５１ｂ1の下縁部に沿って設けられた厚みの厚いＵ形部分であり、閉じた状態の揺動ブラシ５２（図４（Ａ））のブラシ面と略平行なブラシ毛植設面５１ｃ1を有すると共に、ブラシ毛植設面５１ｃ1に複数のブラシ毛植設孔を有している。
なお、ノズル口５１ｂ1におけるブラシ毛植設面５１ｃ1付近はノズル本体５１の長手方向（直線Ｌ方向）に対して前記下限設定角度の傾斜角度θ（図４（Ａ）、図５（Ｂ））と略同じ角度で傾斜するよう開口し、ノズル口５１ｂ1におけるその他の部分はそれよりも大きい傾斜角度で傾斜するよう開口している。
【００３７】
補助ブラシ部５１ｄは、ブラシ台部５１ｃの複数のブラシ毛植設孔に植え込まれた複数のブラシ毛束５１ｄ1からなり、各ブラシ毛束５１ｄ1はノズル本体５１の長手方向（直線Ｌ方向）と略平行に伸びている。
【００３８】
［揺動ブラシ］
図６（Ａ）および（Ｂ）に示すように、揺動ブラシ５２は、ノズル本体５１のノズル口５１ｂ1の外周部の他部、すなわち、ノズル口５１ｂ1の外周部におけるブラシ台部５１ｃを主に除く部分に沿うようにＵ形に形成されたブラシ基材５２ａと、ブラシ基材５２ａに植設された複数のブラシ毛束５２ｂとを有する。
【００３９】
ブラシ基材５２ａは、Ｕ形のブラシ毛植設面５２ａ11を有するブラシ台部５２ａ1と、ブラシ台部５２ａ1のブラシ毛植設面５２ａ11とは反対面に沿って設けられたカバー部５２ａ2と、カバー部５２ａ2のＵ形の両端部内面に設けられてノズル本体５１の一対の軸部５１ｂ2に枢着される一対の枢着部５２ａ3とを有する。なお、ブラシ毛植設面５２ａ11には複数のブラシ毛植設孔が形成されている。
【００４０】
実施形態１の場合、ノズル本体５１の一対の軸部５１ｂ2は円筒形であり、揺動ブラシ５２の一対の枢着部５２ａ3は一対の軸部５１ｂ2内にぐらつかずに回動可能に挿入される円柱形に形成されている。また、カバー部５２ａ2の両端部内面における各枢着部５２ａ3の周囲には、後述する付勢部材５３としての捻りコイルバネを収納する円環状凹部５２ａ21が設けられている。
【００４１】
複数のブラシ毛束５２ｂは、ブラシ基材５２ａのブラシ毛植設面５２ａ11の複数のブラシ毛植設孔にそれぞれ植え込まれており、ブラシ面５２ｂｆの傾斜角度θが下限設定角度（図４（Ａ））であるときの揺動ブラシ５２の各ブラシ毛束５２ｂは、ノズル本体５１の長手方向（直線Ｌ方向）と略平行に伸びている。このとき、ノズル本体５１の補助ブラシ部５１ｄの先端部もブラシ面５２ｂｆの位置に揃っている。
【００４２】
［付勢部材］
図５に示すように、付勢部材５３は捻りコイルバネからなり、ノズル本体５１に揺動ブラシ５２を組み付ける際に、ノズル本体５１の一対の軸部５１ｂ2を各捻りコイルバネの輪部に通した状態で揺動ブラシ５２を組み付ける。この際、各捻りコイルバネの屈曲した両端部はノズル本体５１の円環状凹部５１ｂ5の一部と揺動ブラシ５２の円環状凹部５２ａ21の一部に引っ掛けられる。これにより、ノズル本体５１に対して揺動ブラシ５２はブラシ面５２ｂｆの傾斜角度θが下限設定角度となる方向（揺動ブラシ５２が閉じる方向）に各捻りコイルバネ（各付勢部材５３）によって付勢される（図４（Ａ））。
なお、円環状凹部５１ｂ5の前記一部および円環状凹部５２ａ21の前記一部としては、孔部、凹部、リブ等の捻りコイルバネの屈曲した両端部が引っ掛けられる部位であればよい。また、付勢部材５３としての捻りコイルバネは片側のみ設けてもよい。
【００４３】
［端子部カバーおよび端子部カバー用付勢部材］
図７（Ａ）〜（Ｄ）に示すように、端子部カバー５４は、一面側に設けられた凹曲面部５４ａと、一面側とは反対の他面側に設けられた凸曲面状の平滑面部５４ｂと、左右側面の前端部側に同一軸心上に設けられた軸部５４ｃとを有する。
【００４４】
さらに詳しく説明すると、凹曲面部５４ａにおける前端部側には凹曲面部５４ａの長手方向に対して傾斜する板状のガイド面部５４ｄが設けられ、凹曲面部５４ａにおける左右両端部側にはガイド面部５４ｄと連設された板状の庇部５４ｅが設けられ、平滑面部５４ｂにおける左端部側には長手方向に板状の左側面部５４ｆが設けられ、右側の庇部５４ｅの右端部に沿って板状の右側面部５４ｇが設けられ、平滑面部５４ｂにおける一対の軸部５４ｃの間位置には左右方向のリブ５４ｈが設けられている。なお、一対の軸部５４ｃは左側面部５４ｆの外面および右側面部５４ｇの外面に配置されている。
このように構成された端子部カバー５４によれば、凹曲面部５４ａの裏の平滑面部５４ｂにおけるリブ５４ｈよりも後端部側は段差のない平滑面とされている。
【００４５】
図示しない端子部カバー用付勢部材は、捻りコイルバネからなる。
端子部カバー５４をノズル本体５１内に取り付ける際、庇部５４ｅ側の軸部５４ｃを捻りコイルバネの輪部に通した状態で一対の軸部５４ｃをノズル本体５１の一対の取付孔５１ｂ6に嵌め込む。
【００４６】
＜電気掃除機の使用状態について＞
図８は実施形態１のブラシノズルによる床面清掃時の（Ａ）は延長管が傾斜した状態、（Ｂ）は延長管が起き上がった状態を説明する図である。また、図９は実施形態１のブラシノズルにおける端子部カバーが起き上がった状態を示すノズル口側から視た図であり、図１０は実施形態１のブラシノズルにおける端子部カバーが倒れた状態を示す左側断面図であり、図１１は実施形態１のブラシノズルにおける端子部カバーが倒れた状態を示すノズル口側から視た図である。
【００４７】
図１と図２に示した電気掃除機１の形態では、延長管４０の先端接続部４２に吸込口体６０の接続管部６２が接続されているため、吸込口体６０を床面上で走行させながら清掃することができる。
また、床面清掃時において、例えば、床面における壁と家具との間の狭い隙間を清掃する場合は、延長管４０から吸込口体６０を取り外し、延長管４０の先端接続部４２に取り付けられているブラシノズル５０を隙間に入れて前後に移動させる。このとき、ブラシノズル５０を隙間の手前から奥（前方）へ移動させると、図８（Ａ）に示すように床面Ｆに対して延長管４０が４５°に近い角度で傾斜し、揺動ブラシ５２のブラシ面５２ｂｆおよび補助ブラシ５１ｄが床面Ｆを摺動して塵埃を払い、払った塵埃をノズル口５１ｂ1に吸い込んで除去することができる。
【００４８】
また、ブラシノズル５０を隙間の奥から手前（後方）へ移動させると、図８（Ｂ）に示すように床面Ｆに対して延長管４０が９０°に近い角度まで起き上がるが、ノズル本体５１に対して揺動ブラシ５２は付勢部材５３の付勢力に抗して開く方向に揺動するため、補助ブラシ５１ｄが床面Ｆから僅かに浮き上がっても揺動ブラシ５２のブラシ面５２ｂｆは床面Ｆから離れずに塵埃を払い、払った塵埃をノズル口５１ｂ1に吸い込んで除去することができる。なお、ブラシノズル５０を再び手前から奥へ移動させると、付勢部材５３の付勢力によって揺動ブラシ５２は自然と閉じる方向に揺動する（図８（Ａ）参照）。なお、延長管４０が起き上がる角度は、９０°を超えてもよい。
【００４９】
このようにブラシノズル５０にて床面Ｆ上を清掃する際、ノズル口５１ｂ1内に設けられた端子部カバー５４は、図示しない端子部カバー用付勢部材（捻りコイルバネ）にて起き上がる方向に付勢されているため、図９に示すように起き上がった端子部カバー５４によって延長管４０の先端接続部４２内に設けられた雌型端子部４２ａ（図１１参照）は外部から覆われて見えない。そのため、ノズル口５１ｂ1に吸い込まれた塵埃が雌型端子部４２ａに付着し、それによって吸込口体６０を再び延長管４０に接続した際の吸込口体６０側の雄型端子部（不図示）と延長管４０側の雌型端子部４２ａとの接触不良が発生するという不具合を防止することができる。
【００５０】
吸込口体６０を延長管４０に接続する際、吸込口体６０の接続管部６２をノズルブラシ５０のノズル口５１ｂ1に差し込む。この際、接続管部６２が端子部カバー５４に当たるが、接続管部６２の先端部は端子部カバー５４のガイド面部５４ｄから凹曲面部５４ａに誘導され、それに伴い起き上がっていた端子部カバー５４が端子部カバー用付勢部材の付勢力に抗して倒れる方向に揺動する（図１０、図１１）。また、端子部カバー５４が倒れることにより、延長管４０の先端接続部４２側の雌型端子部４２ａが吸込口体６０の接続管部６２側の雄型端子部（不図示）と対面してこれらが電気的に接続する。
【００５１】
なお、図１０と図１１では、揺動ブラシ５０が開いた状態で図示されているが、揺動ブラシ５０が閉じた状態（図４（Ａ）、図９）であっても端子部カバー５４が倒れて吸込口体６０を延長管４０に接続することができる。
また、端子部カバー５４の裏側の平滑面部５４ｂ（図７（Ｂ））は後端部側が段差の無い平滑面とされているため、平滑面部５４ｂに塵埃が溜まり、溜まった塵埃が飛び散って延長管４０の雌型端子部４２ａに付着するという不具合を防止することができる。
【００５２】
また、実施形態１の電気掃除機１によれば、図１と図２に示すように３つの脚部１０ａ5にて掃除機本体１０を起立させ、掃除機本体１０に設けた受け部１１ｅに延長管４０の引っ掛け部材４５を引っ掛けることにより、延長管４０および可撓性ホース部２０が邪魔にならないよう狭いスペースに電気掃除機１をスタンド収納することができる。
また、ブラシノズル５０の掃除機本体１０側への突出寸法が小さく抑えられているため、引っ掛け部材４５をコンパクト化することができている。そのため、吸込口体６０が延長管４０から取り外されたスタンド収納であっても、床面Ｆから浮いたブラシノズル５０を安定させることができる。つまり、引っ掛け部材４５が大型化すると延長管４０と掃除機本体１０との間の隙間が広くなり、スタンド収納した際にブラシノズル５０がぐらついて安定しにくくなるが、本発明ではこのような問題を解消している。
【００５３】
（実施形態２）
図１２は本発明のブラシノズルを備えた電気掃除機の実施形態２を示す斜視図である。
実施形態１のキャニスター型電気掃除機１では延長管４０の先端接続部４２にブラシノズル５０を取り付けた場合を例示したが、図１２に示すようにキャニスター型電気掃除機１０１の可撓性ホース部１２０の先端接続部１２２にブラシノズル５０を取り付け、ブラシノズル５０に差し込んだ延長管１４０を可撓性ホース部１２０の先端接続部１２２に接続するようにしてもよい。
この実施形態２の電気掃除機１０１によれば、可撓性ホース部１２０から延長管１４０を取り外すことにより、掃除機本体１１０を持ちながらブラシノズル５０にて階段、家具、棚等に付着した塵埃を除去する吸引清掃することができる。
また、可撓性ホース部１２０の先端接続部１２２からブラシノズル５０を取り外すと共に、延長管１４０から吸込口体１６０を取り外し、実施形態１と同様に延長管１４０の先端接続部１４２にブラシノズル５０を付け替え可能に構成してもよい。
【００５４】
（実施形態３）
図１３は本発明のブラシノズルを備えた電気掃除機の実施形態３を示す斜視図である。なお、図１３において、図１中の要素と同様の要素には同一の符号を付している。
実施形態３はスティック型電気掃除機２０１であって、駆動装置２１１およびこれに着脱可能な集塵ユニット２１２およびバッテリー２１３を有する掃除機本体２１０と、実施形態１の電気掃除機１で用いた延長管４０、ブラシノズル５０および吸込口体６０とを備える。
すなわち、実施形態１のキャニスター型電気掃除機１の延長管４０、ブラシノズル５０および吸込口体６０を、実施形態２のスティック型電気掃除機２０１における掃除機本体２１０の先端接続部２１１ａに付け替え可能としている。
このようなスティック型電気掃除機２０１も、吸込口体６０による広い床面の清掃およびブラシノズル５０による隙間部の清掃の両方を行うことができる。
【００５５】
（実施形態４）
図１４は本発明のブラシノズルを備えた電気掃除機の実施形態４を示す斜視図である。なお、図１４において、図１３中の要素と同様の要素には同一の符号を付している。
実施形態４はハンディ型電気掃除機３０１であって、駆動装置３１１、駆動装置３１１に着脱可能に装着される集塵ユニット３１２およびバッテリー（不図示）を有する掃除機本体３１０と、掃除機本体３１０の先端吸引口３１１ａに取り付けられたブラシノズル５０とを備える。
このようなハンディ型電気掃除機３０１によれば、階段、家具、棚等に付着した塵埃の吸引清掃、車内清掃等の使用に好適である。
なお、このハンディ型電気掃除機３０１のブラシノズル５０に、実施形態３で用いた吸込口体６０と接続された延長管４０を差し込み、延長管４０を駆動装置３１１の先端吸引口３１１ａに接続すれば、スティック型電気掃除機として使用することができる。
【００５６】
（実施形態５）
図１５は実施形態５の電気掃除機の延長管を示す斜視図であって（Ａ）は伸長状態、（Ｂ）は短縮状態である。また、図１６は図１５（Ａ）の延長管であって（Ａ）は背面図、（Ｂ）は左側面図、（Ｃ）は左側断面図である。
この伸縮可能な延長管２４０は、外筒部２４０ａと、外筒部２４０ａにスライド可能に挿入された内筒部２４０ｂとを有し、内筒部２４０ｂの先端接続部２４０ｂｙ側に後述の引っ掛け部材１４５が取り付けられている。
【００５７】
外筒部２４０ａは、外筒本体２４０ａ1と、外筒本体２４０ａ1の前面に長手方向に沿って設けられたカバー部材２４０ａ2と、カバー部材２４０ａ2内に収納された導電体（不図示）と、前記導電体と電気的に接続されて外筒本体２４０ａ1の基端接続部２４０ａｘで露出する雄型端子部２４０ａ3と、外筒本体２４０ａ1の先端接続部２４０ａｙに設けられた短筒形の係止機構部２４０ａ4と、外筒本体２４０ａ1の基端接続部２４０ａｘに設けられた係止凹部２４０ａ5とを備える。
【００５８】
係止機構部２４０ａ4は、前面側に設けられた押しボタン２４０ａ41と、押しボタン２４０ａ41を外方へ付勢する圧縮バネ２４０ａ42と、押しボタン２４０ａ41の反対側に設けられた係止凸部２４０ａ43とを有している。
なお、外筒部２４０ａの雄型端子部２４０ａ3および係止凹部２４０ａ5は、実施形態１で説明した延長管４０における雄型端子部４１ａおよび係止凹部４１ｂと同様の役割を担うものである。
【００５９】
内筒部２４０ｂは、内筒本体２４０ｂ1と、内筒本体２４０ｂ1の前面に長手方向に沿って設けられたカバー部材２４０ｂ2と、外筒体２４０ａの導電体（不図示）と摺接可能にカバー部材２４０ｂ2内に収納された導電体（不図示）と、前記導電体と電気的に接続されて内筒本体２４０ｂ1の先端接続部２４０ｂｙで露出する雌型端子部２４０ｂ3と、内筒本体２４０ｂ1の先端接続部２４０ｂｙに設けられたロック部２４０ｂ4とを備える。
なお、内筒部２４０ｂの雌型端子部２４０ｂ3およびロック部２４０ｂ4は、実施形態１で説明した延長管４０における雄型端子部４２ａおよび第２ロック部４２ｂと同様の役割を担うものである。
【００６０】
また、内筒本体２４０ｂ1の後面には、３種類の第１〜第３凹部２４０ｂ11、２４０ｂ12、２４０ｂ13が先端接続部２４０ｂｙに向かってこの順で併設されている。
第１凹部２４０ｂ11は、外筒本体２４０ａ1の後面側に設けられた係止機構部２４０ａ4の係止凸部２４０ａ43と係脱可能に係止する凹部であり、各位置に１個ずつ設けられている。
第３凹部２４０ｂ13は、後述の引っ掛け部材１４５の一対の位置決め凸部１４５ｄと係脱可能に係止する凹部であり、各位置に２個ずつ設けられている。
【００６１】
この延長管２４０によれば、外筒部２４０ａの係止機構部２４０ａ4の押しボタン２４０ａ41を押すことにより、係止機構部２４０ａ4の係止凸部２４０ａ43が内筒部２４０ｂの第１凹部２４０ｂ11から離脱するため、この状態のときに外筒部２４０ａと内筒部２４０ｂとが互いにスライド可能となり、係止凸部２４０ａ43に係止させる第１凹部２４０ｂ11を変えることにより延長管２４０の長さを複数段階で調整することができる。
【００６２】
図１７は図１５（Ａ）の延長管における引っ掛け部材を示す（Ａ）は左側面図、（Ｂ）は（Ａ）のＩ−Ｉ線矢視断面図である。また、図１８は図１７の引っ掛け部材を示す（Ａ）は斜視図、（Ｂ）は別の斜視図、（Ｃ）はさらに別の斜視図である。また、図１９は図１６（Ｂ）のＩＩ−ＩＩ線矢視断面図である。
実施形態５の延長管２４０に取り付けられる引っ掛け部材１４５は、内筒部２４０ｂの第３凹部２４０ｂ13を利用して位置決めできるものであり、長手方向の切れ込み２４０ａ1を有する筒部２４０ａと、筒部２４０ａの外面における切れ込み２４０ａ1の両側に連設されたボルト挿入孔を有する一対のブロック部２４０ｂと、一方のブロック部２４０ｂに連設された実施形態１で説明した引っ掛け部材４５と同様の構成の引っ掛け部１４５ｃと、筒部２４０ａの内面における切れ込み２４０ａ1の両側に設けられた前記一対の位置決め凸部１４５ｄとを有する。
【００６３】
引っ掛け部材１４５は、樹脂の一体成形部品であるため、筒部２４０ａは弾性変形可能である。よって、引っ掛け部材１４５の切れ込み２４０ａ1の開口を大きく広げて内筒本体２４０ｂ1を嵌め入れ、一対の位置決め凸部１４５ｄを所望の位置の第２凹部２４０ｂ12に係止させ、一対のブロック部２４０ｂのボルト挿入孔にボルト（不図示）を通してナット（不図示）にて締め付けることにより引っ掛け部材１４５を内筒本体２４０ｂ1の所望の位置で位置決めし固定することができる。
【００６４】
実施形態５では、内筒本体２４０ｂ1の先端接続部２４０ｂｙ側に引っ掛け部材１４５を固定した場合を例示しており、この場合、図１と図２で説明したように吸込口体６０を床面Ｆ上に載置した状態で引っ掛け部材１４５を掃除機本体１０の受け部１１ｅに引っ掛けることにより、延長管２４０を起立させて電気掃除機を収納することができる。なお、この場合も、延長管２４０の先端接続部２４０ｂｙに実施形態１と同様にブラシノズル５０が取り付けられていてもよい。
【００６５】
また、実施形態５の延長管２４０および引っ掛け部材１４５の構成によれば、引っ掛け部材１４５の筒部２４０ａの長さ、延長管２４０の第１〜第３凹部２４０ｂ11、２４０ｂ12、２４０ｂ13のサイズ、間隔等を変更し、引っ掛け部材１４５の延長管１４５への固定位置を変更することにより、電気掃除機の機種によって受け部１１ｅの高さ位置が変更しても共通の引っ掛け部材１４５にて対応することができる。この結果、機種毎に金型を作製して引っ掛け部材の位置調整をする必要がなくなり、金型投資を抑えることができる。
【００６６】
（実施形態６）
図２０は実施形態６のブラシノズルを示す斜視図である。また、図２１は図２０のブラシノズルの（Ａ）は左側面図、（Ｂ）は揺動ブラシが揺動した状態での左側面図である。なお、図２０および図２１において、図４〜図８中の要素と同様の要素には同一の符号を付している。
実施形態１のブラシノズル５０ではノズル本体５１の左右側面にストッパリブ５１ｂ4が設けられているが（図４、図５参照）、実施形態６のブラシノズル１５０ではノズル本体１５１の左右側面にストッパリブ１５１ｂ4が設けられ、さらにストッパリブ１５１ｂ4に隣接して滑り止めリブ１５１ｂ5が設けられている。実施形態６において、その他の構成は実施形態１と同様である。
【００６７】
実施形態６のブラシノズル１５０によれば、ノズル本体１５１の左右側面に滑り止めリブ１５１ｂ5を設けたことにより、ユーザーが延長管４０からブラシノズル１５０を取り外す際に指を左右の滑り止めリブ１５１ｂ5に当てながら手前へ引っ張ることにより、指が滑ることなくブラシノズル１５０を延長管４０から容易に引き抜くことができる。
【００６８】
（他の実施形態）
１．実施形態１〜４の電気掃除機において、ブラシノズル５０は延長管４０の先端接続部４２、可撓性ホース部１２０の先端接続部１２２および駆動装置３１１の先端吸引口３１１ａに着脱可能であれば、清掃箇所に応じてブラシノズル５０の使用形態を変化させることができて便利であるが、電気掃除機における複数の接続箇所にブラシノズルを固定式に取り付けておいてもよい。
【００６９】
２．実施形態１〜４のブラシノズル５０では、揺動ブラシ５２を付勢する付勢部材５３および端子部カバー５４を付勢する端子部カバー用付勢部材として捻りコイルバネを用いた場合を例示したが、捻りコイルバネに限定されず、例えば、細長い板バネをリング状に湾曲して用いてもよい。
【００７０】
３．実施形態１〜３ではモータにて回転する回転ブラシを有する吸込口体を備えた電気掃除機を例示したが、吸込口体の回転ブラシをタービンにて回転させるようにしてもよく、あるいは回転ブラシを省略してもよい。これらの場合、ブラシノズル５０に設けられた端子部カバーおよび端子部カバー用付勢部材を省略することができる。
【００７１】
（まとめ）
本発明の電気掃除機用のブラシノズルは、ノズル口を有するノズル本体と、前記ノズル本体の前記ノズル口の近傍に揺動可能に取り付けられ被清掃面と接するブラシ面を有する揺動ブラシと、前記揺動ブラシを所定方向に付勢する付勢部材とを備え、
前記ノズル本体内での空気の流れ方向に対して前記ブラシ面が斜め状態を維持するように前記付勢部材にて前記揺動ブラシを付勢するように構成されている。
【００７２】
本発明の電気掃除機用のブラシノズルは、次のように構成されてもよく、それらが適宜組み合わされてもよい。
（１）前記ノズル本体は、前記ノズル口とは反対側に接続口を有し、
前記接続口は、電気掃除機の掃除機本体の先端吸引口または電気掃除機用の付属の一の接続具と接続可能であり、
前記ノズル口は、前記接続口に接続された前記先端吸引口または前記一の接続具と電気掃除機用の付属の他の接続具との接続時に前記他の付属の接続具を差し込み可能とするのもよい。
【００７３】
この構成によれば、次の効果を奏する。
(I)ハンディ型電気掃除機の吸込口に本発明のブラシノズルを固定式または着脱式で接続することができる。この場合、例えば、階段、家具、棚上面等に付着した塵埃の吸引清掃時にハンディ型電気掃除機に接続したブラシノズルを使用することができる。
また、このハンディ型電気掃除機をスティック型電気掃除機として使用することも可能となる。この場合、ハンディ型電気掃除機の吸込口に接続されたブラシノズルのノズル口に電気掃除機用の前記他の接続具としての延長管の基端部を差し込んで吸込口に接続し、かつ延長管の先端部に吸込口体の接続管部を接続することにより、広い床面を吸引清掃するスティック型電気掃除機として使用することができる。さらに、ハンディ型電気掃除機の吸込口から延長管を引き抜く１ステップ動作によりブラシノズルを手間無く使用可能な状態に戻すことができる。
【００７４】
(II)スティック型電気掃除機の前記一の接続具としての延長管に本発明のブラシノズルを固定式または着脱式で接続することができる。この場合、例えば、床面上における壁と家具の間の狭い隙間に溜まった塵埃の吸引清掃時にスティック型電気掃除機の延長管の先端部に接続したブラシノズルを使用することができる。
また、延長管の先端部に接続されたブラシノズルのノズル口に前記他の接続具としての吸込口体の接続管部を差し込んで延長管に接続することにより、スティック型電気掃除機にて広い床面を吸引清掃することができる。さらに、スティック型電気掃除機の延長管から吸込口体を引き抜く１ステップ動作によりブラシノズルを手間無く使用可能な状態に戻すことができる。
【００７５】
(III)キャニスター型電気掃除機の前記一の接続具としての可撓性ホースに本発明のブラシノズルを固定式または着脱式で接続することができる。この場合、例えば、階段、家具、棚上面等に付着した塵埃の吸引清掃時にキャニスター型電気掃除機に接続したブラシノズルを使用することができる。
また、可撓性ホースの先端部に接続されたブラシノズルのノズル口に前記他の接続具としての延長管の基端部を差し込んで可撓性ホースに接続し、かつ延長管の先端部に吸込口体の接続管部を接続することにより、キャニスター型電気掃除機にて広い床面を吸引清掃することができる。さらに、キャニスター型電気掃除機の可撓性ホースから延長管を引き抜く１ステップ動作によりブラシノズルを手間無く使用可能な状態に戻すことができる。
【００７６】
（２）前記ノズル本体は、前記接続口を有する接続管部と、前記揺動ブラシを揺動可能に支持する一対の軸部および前記ノズル口を有するブラシ支持部と、前記ノズル口の外周部の一部に沿って設けられたブラシ台部と、前記ブラシ台部に設けられた補助ブラシ部とを有し、
前記揺動ブラシは、前記ノズル本体の前記ノズル口の外周部の他部に沿うように略Ｕ形に形成されかつ前記一対の軸部に枢着される両端部を有するブラシ基材と、前記ブラシ基材に植設された複数のブラシ毛束とを有してもよい。
【００７７】
この構成によれば、ノズル本体に補助ブラシ部を設けたことにより、複数のブラシ毛束を有するブラシ基材をＵ形に形成することができ、それによってブラシ基材の両端部をノズル本体よりも後方へ突出させないようにすることができる。なお、ノズル本体に補助ブラシ部が無い場合、ブラシ基材を楕円形に形成してノズル口の全周を包囲する必要があるが、そうすると揺動ブラシの揺動軌跡がノズル本体の後方まで大きく回り込むこととなる。
例えば、延長管をスタンド収納可能なキャニスター型電気掃除機を構成する場合、延長管の後部（裏面）に引っ掛け部を設け、引っ掛け部を掃除機本体に設けた受け部に引っ掛けて収納する構成が一般的であり、この際、ブラシノズルが掃除機本体に干渉しないように引っ掛け部は揺動ブラシの揺動軌跡よりも外側に逃がす必要があるが、後者のように揺動ブラシの揺動軌跡がノズル本体の後方まで大きく回り込む構成では引っ掛け部の後方への突出寸法を大きくする必要があり、そうすると延長管収納時にブラシノズルが安定しにくいという問題がある。
本発明によれば、引っ掛け部の後方への突出寸法を小さく抑えることができるため、ブラシノズルを安定した状態で電気掃除機の延長管をスタンド収納することが可能となる。
【００７８】
（３）前記ノズル本体の前記ノズル口の内面に揺動可能に取り付けられた端子部カバーと、前記端子部カバーを起き上がらせる方向に付勢する端子部カバー用付勢部材とをさらに備え、
前記端子部カバーは、前記ノズル本体の前記ノズル口に差し込まれて前記延長管と接続される前記吸込口体の接続管部の外面を受ける凹曲面部を有してもよい。
【００７９】
この構成によれば、例えば、モータ駆動の回転ブラシを有する吸込口体を備えたスティック型またはキャニスター型電気掃除機に対応することができる。つまり、吸込口体内のモータに給電するために吸込口体および延長管には導線および端子部が設けられており、ブラシノズルに接続された延長管の端子部を保護するためにブラシノズル内に端子部カバーが設けられている。すなわち、この端子部カバーによれば、ブラシノズルに接続された延長管から吸込口体を取り外してブラシノズルにて吸引清掃する際、ブラシノズルに吸い込まれる塵埃が端子部カバーによって延長管の端子部に付着するのを防止することができる。
【００８０】
（４）前記端子部カバーは、前記凹曲面部の裏に平滑面部を有してもよい。
この構成によれば、端子部カバーの凹曲面部の裏を平滑面部としているため塵埃が溜まりにくくなり、ブラシノズルの長期使用によって凹曲面の裏に塵埃が溜まり端子部へ付着することを防止できる。
【００８１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８２】
１、１０１、２０１、３０１  電気掃除機
１０、１１０、２１０、３１０  掃除機本体
２０、１２０  可撓性ホース部（接続具）
４０、１４０  延長管（接続具）
５０  ブラシノズル
５１  ノズル本体
５１ａ  接続管部
５１ａ1  接続口
５１ｂ  ブラシ支持部
５１ｂ1  ノズル口
５１ｂ2  軸部
５１ｃ  ブラシ台部
５１ｄ  補助ブラシ部
５２  揺動ブラシ
５２ａ  ブラシ基材
５２ｂ  ブラシ毛束
５２ｂｆ  ブラシ面
５３  付勢部材
５４  端子部カバー
５４ａ  凹曲面部
５４ｂ  平滑面部
６０、１６０  延長管
６２  接続管部
３１１ａ  先端吸引口
【図１】
2019193708.tif 000003
【図２】
2019193708.tif 000004
【図３】
2019193708.tif 000005
【図４】
2019193708.tif 000006
【図５】
2019193708.tif 000007
【図６】
2019193708.tif 000008
【図７】
2019193708.tif 000009
【図８】
2019193708.tif 000010
【図９】
2019193708.tif 000011
【図１０】
2019193708.tif 000012
【図１１】
2019193708.tif 000013
【図１２】
2019193708.tif 000014
【図１３】
2019193708.tif 000015
【図１４】
2019193708.tif 000016
【図１５】
2019193708.tif 000017
【図１６】
2019193708.tif 000018
【図１７】
2019193708.tif 000019
【図１８】
2019193708.tif 000020
【図１９】
2019193708.tif 000021
【図２０】
2019193708.tif 000022
【図２１】
2019193708.tif 000023